(57)【特許請求の範囲】
【請求項１】
自動販売機の本体キャビネットの前面に配した、案内溝を有する変形長穴を穿孔した規制板と、一端を前記規制板に係合し、他端を本体キャビネットにヒンジを介して開閉可能に取付けられた外扉の係合穴にに回動可能に係止した連結杆とを備え、前記外扉を開放する際に前記連結杆により所定の開度で外扉を固定するようにした自動販売機の外扉固定装置において、前記連結杆の他端に、該連結杆より径方向に膨出された頭部を設け、該連結杆を係止する外扉の係合穴は該頭部と相似形で頭部より僅かに大きく、かつ外扉閉鎖から全開までの範囲では前記頭部との相対的な回動により頭部と一致することがなく、前記範囲以外の範囲において頭部と一致して頭部を通過させるように穿孔されていることを特徴とする自動販売機の外扉固定装置。
【発明の詳細な説明】
【０００１】
【発明の属する技術分野】
この発明は、外扉を開放時に所定の開度で係止するようにした自動販売機の外扉固定装置に関する。
【０００２】
【従来の技術】
図２は従来例の扉固定装置の構成図を示す。この図２において、１は自動販売機の本体キャビネット、２は本体キャビネット１にヒンジ３を介して開閉可能に取付けられた外扉、４は本体キャビネット１の底枠、５は底枠４に取付けられ、案内溝６ａを有する変形長穴６を穿孔した規制板、７は外扉２の扉枠板、８は扉枠板７に穿孔された係合穴に回動可能に係止し、他端を規制板５の変形長穴６に係合して本体キャビネット１と外扉２との開度を規制する連結杆、９は前記係合穴に挿通して突出した連結杆８の抜け止め孔に係止するスナップピン、１０は係合穴の部分で扉枠板７を上下面で挟み係合穴と同径の穴を穿孔した断面コ字状の支持板を示す。上記の構成において、外扉２は本体キャビネット１にヒンジ３を介して開閉可能に取付けられており、外扉２と本体キャビネット１とを連結する連結杆８は、一端を扉枠板７の係合穴と該係合穴を挟む支持板１０とに挿通して支持板１０の上部でスナップピン９を抜け止め孔に挿通して回動可能に係止し、他端を規制板５の変形長穴６に係合している。そして、外扉２が閉鎖時には規制板５の変形長穴６に係合している連結杆８の端部は変形長穴６内の反ヒンジ３側に位置しており、外扉２を開放していくに従ってヒンジ３側に引き寄せられる。
【０００３】
外扉２を開放していく途中において、前記連結杆９の端部を案内溝６ａに押し込むと、連結杆８は案内溝６ａの壁面に当接してそれ以上のヒンジ３側への移動が制限されるので、その位置で外扉２を固定する。前記案内溝６ａは外扉２が略１３５度に全開するまでに途中（例えば９０度）位置でも外扉２を固定できるように複数個が設けられる。案内溝６ａに押し込まれた連結杆９の端部を案内溝６ａから外せば外扉２の開閉は自在になる。
【０００４】
【発明が解決しようとする課題】
ところで上記の構成では連結杆を外扉の扉枠板に係止するためにスナップピンと支持板とを使用しているので、組み立てに時間が掛かり、部品点数が多い分部品管理に手間が掛かる。
この発明は上記課題を解決するためになされたもので、その目的とするところは、部品点数を削減して組み立ておよび部品管理に掛かる時間と手間とを削減した自動販売機の扉固定装置を提供することにある。
【０００５】
【課題を解決するための手段】
上記課題を解決するためにこの発明は、自動販売機の本体キャビネットの前面に配した、案内溝を有する変形長穴を穿孔した規制板と、一端を前記規制板に係合し、他端を本体キャビネットにヒンジを介して開閉可能に取付けられた外扉の係合穴にに回動可能に係止した連結杆とを備え、前記外扉を開放する際に前記連結杆により所定の開度で外扉を固定するようにした自動販売機の外扉固定装置において、前記連結杆の他端に、該連結杆より径方向に膨出された頭部を設け、該連結杆を係止する外扉の係合穴は該頭部と相似形で頭部より僅かに大きく、かつ外扉閉鎖から全開までの範囲では前記頭部との相対的な回動により頭部と一致することがなく、前記範囲以外の範囲において頭部と一致して頭部を通過させるように穿孔されていることを特徴とする。
【０００６】
上記構成により、外扉全開で外扉の長手方向の面と略平行になるように係合穴と規制板の変形長穴の案内溝と前記連結杆の棒状の部分の長さ（連結杆の両端間の距離）とを定めれば、規制板の変形長穴と前記係合穴との外扉閉鎖時に於ける前後の関係位置によっては、外扉閉鎖時は連結杆の両端部を連結する棒状の部分が外扉の長手方向の面と平行になる位置より頭部が若干本体キャビネットの内外側に振れた位置になり前記平行線に対して棒状の部分が内側または外側に傾いた状態になる。そして、係合穴の回転軌跡は、外扉を本体キャビネットに連結するヒンジを支点にして、外扉が全開になる１３５度と、外扉閉鎖時に係合穴の中心から前記ヒンジ中心に至る線が外扉の長手方向の面に対して成す角度（Ａ）とを加減した角度の範囲であり外扉の開き方向が例えば時計回りであれば、係合穴の回転も時計回りの方向になる。一方連結杆の頭部の回転は、規制板に係合している連結杆の一端を支点として前記係合穴の軌跡に合わせて反時計回るので、１８０度マイナス１３５度すなわち４５度と、連結杆の頭部が規制板に係合している一端を支点として外扉閉鎖時若干本体キャビネットの内側または外側になっている角度（Ｂ）とを加えた角度の範囲である。頭部と係合穴との相対回転角度は、角度Ａ，Ｂがそれぞれ本体キャビネットの内向きに開いている場合、係合穴の回転角度に連結杆の回転角度を加えた１８０度と、角度Ａ，およびＢを加えた角度になり、角度Ａ，Ｂがそれぞれ本体キャビネットの外向きに開いている場合、係合穴の回転角度に連結杆の回転角度を加えた１８０度から角度Ａ，およびＢを引いた角度になる。従って、例えば係合穴を固定した場合、前記頭部が時計回りに回転して前記頭部の切り欠き面と係合穴の直線部とが成す角度を、前記角度（１８０度±Ａ±Ｂ）以上の角度から一回転して基に戻る３６０度から前記Ａ，およびＢを加減した角度までの範囲内になるように係合穴と前記頭部との関係位置を定めておけば、前記連結杆の頭部の円形の部分の一部分が係合穴の直線部の外側の扉枠板に重なるので外扉閉鎖時から全開までの間連結杆を抜け止めすることが可能になる。
【０００７】
連結杆の両端部の間隔を外扉が全開時に外扉の枠体に接触しない範囲で前記長さより短くすることは可能であり、その場合は前記頭部の回転角度が４５度以上になりその角度と４５度との差の角度が、係合穴と頭部との関係位置を決める角度の範囲を狭くするが前記係合穴と頭部との関係位置を決める角度の範囲は余裕があるので対応が可能である。また、連結杆の両端部の間隔を前記長さより長くすることは、頭部の回転角度が４５度以下になるのでその分、係合穴と頭部との関係位置を決める角度の範囲が広くなり問題はない。
【０００８】
【発明の実施の形態】
図１はこの発明の実施例の主要部の構成を示し、（ａ）は外扉と本体キャビネットと扉固定装置で固定した部分の外観図、（ｂ）は連結杆の外観図、（ｃ）は連結杆を扉枠板に装着する際の要領図を示す。この図１において、従来例と同一の符号を付けた部材はおおよそ同一の機能を有するのでその説明は省略する。この図１において、１は自動販売機の本体キャビネット、２は本体キャビネット１にヒンジ３を介して開閉可能に取付けられた外扉、４は本体キャビネット１の底枠、５は底枠４に取付けられ、案内溝６ａを有する変形長穴６を穿孔した規制板、７は外扉２の扉枠板、８０は扉枠板７に穿孔した係合穴７ａに回動可能に係止し、他端を規制板５の変形長穴６に係合して本体キャビネット１と外扉２との開度を規制する連結杆，８０ａは係合穴７ａを突き抜けて係合穴７ａに装着して連結杆８０を係止し、外扉２を開閉する全域に渡って抜け止めする連結杆８０の頭部を示す。上記の構成において、外扉２は本体キャビネット１にヒンジ３を介して開閉可能に取付けられており、外扉２と本体キャビネット１とを連結する連結杆８０は、一端の頭部８０ａを扉枠板７の係合穴７ａと一致させた状態で係合穴７ａを貫通させて装着し（図１の（ｃ）参照）該頭部８０ａにより抜け止めして回動可能に係止し、他端を規制板５の変形長穴６に係合している。そして、外扉２が閉鎖時には規制板５の変形長穴６に係合している連結杆８０の端部は変形長穴６内の反ヒンジ３側に位置しており、外扉２を開放していくに従ってヒンジ３側に引き寄せられる。
【０００９】
外扉２を開放していく途中において、前記連結杆９の端部を案内溝６ａに押し込むと、連結杆８は案内溝６ａの壁面に当接してそれ以上のヒンジ３側への移動が制限されるので、その位置で外扉２を固定する。前記案内溝６ａは外扉２が略１３５度に全開するまでに途中（例えば９０度）位置でも外扉２を固定できるように複数個が設けられる。案内溝６ａに押し込まれた連結杆９の端部を案内溝６ａから外せば外扉２の開閉は自在になる。
【００１０】
【発明の効果】
この発明によれば、頭部を係合穴に挿通した後連結杆の他端を規制板の変形長穴に係合することにより外扉と本体キャビネットを扉固定装置で連携できるので部品点数が少なくなり部品管理を容易にし、組み立ての時間を削減する効果がある。
【図面の簡単な説明】
【図１】  この発明の実施例の主要部の構成を示し、（ａ）は外扉と本体キャビネットと扉固定装置で固定した部分の外観図、（ｂ）は連結杆の外観図、（ｃ）は連結杆を扉枠板に装着する際の要領図
【図２】        従来例の扉固定装置の構成図
【符号の説明】
８０      連結杆
８０ａ    頭部
【図１】
0003651151.tif 000002
【図２】
0003651151.tif 000003